【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
基板上に、
第１電極、発光層を含む有機層、および第２電極が各々順に積層されてなる複数の発光素子と、
前記有機層を、前記発光素子ごとに分離する黒色絶縁層と
を備えた表示装置。
【請求項２】
前記基板は可撓性を有する材料からなる
請求項１記載の表示装置。
【請求項３】
前記基板と前記複数の発光素子および前記黒色絶縁層との間に、前記複数の発光素子を駆動させる駆動回路をさらに備え、
前記黒色絶縁層は開口を有している
請求項１記載の表示装置。
【請求項４】
前記複数の発光素子、前記黒色絶縁層および前記駆動回路を挟んで前記基板と対向する対向基板を備えた
請求項３記載の表示装置。
【請求項５】
前記駆動回路は、有機半導体層を含む薄膜トランジスタを有する
請求項３記載の表示装置。
【請求項６】
前記黒色絶縁層は、黒色の顔料、染料および色素を分散した感光性樹脂からなる
請求項１記載の表示装置。
【請求項７】
前記黒色の顔料はカーボンブラックである
請求項６記載の表示装置。
【請求項８】
複数の発光素子と共に表示装置に用いられる表示装置用基板であって、
前記複数の発光素子を駆動させる駆動回路と、
前記駆動回路上の領域を前記複数の発光素子に各々対応した複数の表示領域に区切る黒色絶縁層と
を備えた表示装置用基板。
【請求項９】
前記黒色絶縁層は開口を有している
請求項８記載の表示装置用基板。
【手続補正２】
【補正対象書類名】明細書
【補正対象項目名】０００８
【補正方法】変更
【補正の内容】
【０００８】
本開示の表示装置用基板は、複数の発光素子と共に表示装置に用いられるものであって、複数の発光素子を駆動させる駆動回路と、駆動回路上の領域を複数の発光素子に各々対応した複数の表示領域に区切る黒色絶縁層とを備えたものである。
【手続補正３】
【補正対象書類名】明細書
【補正対象項目名】０００９
【補正方法】変更
【補正の内容】
【０００９】
本開示の表示装置用基板では、黒色絶縁層によって複数の発光素子に各々対応した複数の表示領域に区切るようにしたので、その黒色絶縁層において外光が吸収される。また、対向基板にブラックマトリクス層を設ける必要がない構造であることから、対向基板との貼り合わせを行う際、アライメントが不要である。
【手続補正４】
【補正対象書類名】明細書
【補正対象項目名】００１４
【補正方法】変更
【補正の内容】
【００１４】
図２は、表示装置１の全体構成を表すものである。表示装置１は、支持基板１１の上に表示領域１１０が形成されたものであり、極薄型の有機発光カラーディスプレイ装置などとして用いられる。支持基板１１上の表示領域１１０の周辺には、例えば映像表示用のドライバである信号線駆動回路１２０、走査線駆動回路１３０および電源供給線駆動回路１４０が形成されている。
【手続補正５】
【補正対象書類名】明細書
【補正対象項目名】００１９
【補正方法】変更
【補正の内容】
【００１９】
画素駆動回路１５０は、支持基板１１と有機発光素子１０との間の階層、すなわち画素駆動回路形成層Ｌ１に設けられている。図３に、画素駆動回路１５０の一構成例を表す。図３に示したように、画素駆動回路１５０は、駆動トランジスタＴｒ１および書込トランジスタＴｒ２と、その間のキャパシタ（保持容量）Ｃｓと、有機発光素子１０とを有するアクティブ型の駆動回路である。有機発光素子１０は、電源供給線１４０Ａおよび共通電源供給線（ＧＮＤ）の間において駆動トランジスタＴｒ１と直列に接続されている。駆動トランジスタＴｒ１および書込トランジスタＴｒ２は、一般的な薄膜トランジスタ（ＴＦＴ（Thin Film Transistor））により構成され、その構成は例えば逆スタガー構造（いわゆるボトムゲート型）でもよいしスタガー構造（トップゲート型）でもよく特に限定されない。
【手続補正６】
【補正対象書類名】明細書
【補正対象項目名】００３２
【補正方法】変更
【補正の内容】
【００３２】
有機発光素子１０は、支持基板１１の側から、アノード電極としての第１電極１４、発光層（図示せず）を含む有機層１５、およびカソード電極としての第２電極１６が各々順に積層されたものである。有機層１５および第１電極１４は、絶縁層１９によって有機発光素子１０ごとに分離されている。一方、第２電極１６は、全ての有機発光素子１０に共通して設けられている。
【手続補正７】
【補正対象書類名】明細書
【補正対象項目名】００３４
【補正方法】変更
【補正の内容】
【００３４】
正孔注入層は、正孔注入効率を高めるためのものであると共に、リークを防止するためのバッファ層である。正孔輸送層は、発光層への正孔輸送効率を高めるためのものである。発光層は、電界をかけることにより電子と正孔との再結合が起こり、光を発生するものである。電子輸送層は、発光層への電子輸送効率を高めるためのものである。なお、電子輸送層と第２電極１６との間には、ＬｉＦ，Ｌｉ2 Ｏなどよりなる電子注入層を設けてもよい。
【手続補正８】
【補正対象書類名】明細書
【補正対象項目名】００３５
【補正方法】変更
【補正の内容】
【００３５】
有機層１５の構成材料の一部は、有機発光素子１０Ｒ，１０Ｇ，１０Ｂの発光色によってそれぞれ異なっている。有機発光素子１０Ｒの正孔注入層は、例えば４，４’，４”−トリス（３−メチルフェニルフェニルアミノ）トリフェニルアミン（ｍ−ＭＴＤＡＴＡ）あるいは４，４’，４”−トリス（２−ナフチルフェニルアミノ）トリフェニルアミン（２−ＴＮＡＴＡ）により構成されている。有機発光素子１０Ｒの正孔輸送層は、例えばビス［（Ｎ−ナフチル）−Ｎ−フェニル］ベンジジン（α−ＮＰＤ）により構成されている。有機発光素子１０Ｒの発光層は、例えば８−キノリノールアルミニウム錯体（Ａｌｑ3 ）に２，６−ビス［４−［Ｎ−（４−メトキシフェニル）−Ｎ−フェニル］アミノスチリル］ナフタレン−１，５−ジカルボニトリル（ＢＳＮ−ＢＣＮ）を４０体積％混合したものにより構成されている。有機発光素子１０Ｒの電子輸送層は、例えばＡｌｑ3 により構成されている。
【手続補正９】
【補正対象書類名】明細書
【補正対象項目名】００５１
【補正方法】変更
【補正の内容】
【００５１】
さらに、絶縁層１９における所定位置に開口１９Ｋを設けるようにしたので、製造段階において信号線１２０Ａ、走査線１３０Ａおよび電源供給線１４０Ａの相互間で短絡が起きた場合であっても、そのリペア（修復）が可能である。例えば信号線１２０Ａと走査線１３０Ａとの任意の交点において短絡が生じた場合、その短絡した交点を含む信号線１２０Ａ上および走査線１３０Ａ上の有機発光素子１０は欠陥となり、正確な発光動作をしなくなってしまう。しかしながら、その場合、その短絡箇所を挟む位置で、開口１９Ｋを通すようにレーザビームを照射することにより信号線１２０Ａまたは走査線１３０Ａを破断させればよい。これにより、短絡箇所が電気的に孤立されるので、そのような欠陥が修復されるからである。電源供給線１４０Ａと走査線１３０Ａとの任意の交点において短絡が生じた場合についても、同様の手法により欠陥箇所の修復を行うことができる。なお、これらの修復は、信号線１２０Ａ、走査線１３０Ａおよび電源供給線１４０Ａの各々の両端がそれぞれ信号線駆動回路１２０，走査線駆動回路１３０および電源供給線駆動回路１４０と接続され、信号を受けていることが前提となる。また、同一の信号線１２０Ａ、走査線１３０Ａおよび電源供給線１４０Ａにおいては、１箇所までの修復が可能である。